(57)【要約】      （修正有）【課題】水やりするとき連続的な視覚的変化を提供できる植物栽培容器を提供する。【解決手段】外部カップ１０と、外部カップ内に組み付けられて植物を植え付けるための内部カップ２０と、外部カップと内部カップとの間に取り付けられる浮き板４０と、浮き板上に装着され、かつ外部カップと内部カップの側壁との間に位置する連動機構５０とを備え、外部カップの外表面は、顔の造形となるように形成されており、かつ顔の造形に対して少なくとも一つの目の周りに相当する部分である覗き窓１１が形成されている。浮き板は、外部カップの底部内の水位の高低に従って、選択的に外部カップに対して上下に往復移動可能に配置されており、かつ浮き板が外部カップに対して上下に移動する過程において、外部カップに対して回動不能に構成される。連動機構の最上部に確認板５１が設けられ、確認板上に視認エリア５２が設けられ、視認エリアと、覗き窓とが前後に対応して配置されており、視認エリアが顔の造形の覗き窓に対して目玉部である。【選択図】図２
0003214919.tif 000002
【実用新案登録請求の範囲】
【請求項１】
外部カップと、内部カップと、浮き板と、連動機構とを備える植物栽培容器であって、
前記外部カップの外表面は、顔の造形となるように形成されており、かつ前記顔の造形に対して少なくとも一つの目の周りに相当する部分である少なくとも一つの覗き窓が形成されており、
植物を植え付けるための前記内部カップは、前記外部カップ内に組み付けられ、前記内部カップと前記外部カップの底部とに収容空間が区画されており、
前記収容空間内に取り付けられる前記浮き板は、前記収容空間内の水位の高低に従って、前記収容空間にて、選択的に前記外部カップに対して上下に往復移動可能に配置されており、かつ前記浮き板が上下に移動する過程において、前記外部カップに対して回動不能に構成され、
前記浮き板上に装着され、かつ前記外部カップと前記内部カップの側壁との間に位置する前記連動機構は、その最上部に確認板が設けられ、前記確認板上に少なくとも一つの視認エリアが設けられ、前記少なくとも一つの視認エリアと、前記少なくとも一つの覗き窓とが前後に対応して配置されており、前記少なくとも一つの視認エリアが前記顔の造形の少なくとも一つの覗き窓に対して目玉部であり、
使用者が前記外部カップに水を加えることによって、前記収容空間内の水位が次第に上昇するにつれて、前記浮き板によって、前記確認板が前記少なくとも一つの覗き窓に対して徐々に上昇するように徐々に押し上げられて、これにより、前記連動機構の前記確認板上に設けられた前記少なくとも一つの視認エリアは、前記外部カップに水を加える前後に、前記外部カップの前記少なくとも一つの覗き窓に対する高度差を形成することを特徴とする、植物栽培容器。
【請求項２】
前記少なくとも一つの視認エリアと、前記確認板との間に、色差が生じていることを特徴とする請求項１記載の植物栽培容器。
【請求項３】
少なくとも一つの貫通孔である前記確認板上の前記少なくとも一つの視認エリアと、前記外部カップ上の前記少なくとも一つの覗き窓とが前後に対応して配置されていることを特徴とする請求項１記載の植物栽培容器。
【請求項４】
前記外部カップの内壁上に少なくとも一つの突起リブが延在しており、前記浮き板上に少なくとも一つの切り欠き部が形成されており、前記少なくとも一つの突起リブを相対摺動自在に前記少なくとも一つの切り欠き部内に挿嵌することで、前記浮き板を前記外部カップに対して回動不能にさせることを特徴とする請求項１〜３のいずれか１項記載の植物栽培容器。
【請求項５】
前記浮き板の周縁部に位置合わせ穴が形成されており、前記連動機構は、嵌め継ぎ部を含み、前記嵌め継ぎ部を前記位置合わせ穴内に装着することによって、前記確認板上の前記少なくとも一つの視認エリアを前記外部カップ上の前記少なくとも一つの覗き窓に対応させるように位置合わせすることを特徴とする請求項４記載の植物栽培容器。
【請求項６】
前記嵌め継ぎ部上に上向きに連接棒が延設され、かつ前記確認板が前記連接棒の自由端に連設されることを特徴とする請求項５記載の植物栽培容器。
【請求項７】
前記外部カップの底部には、その軸線に沿って上向きに複数のＣ形構造体が延設され、前記内部カップの底部には、下向きに挿着部が延設され、前記挿着部を前記複数のＣ形構造体内に収容することによって、前記収容空間の形状が環状に制限されることを特徴とする請求項６記載の植物栽培容器。
【請求項８】
前記浮き板は、収容空間の形態に対応して、環状構造に形成されており、複数のＣ形構造体を囲んで組み付けられることを特徴とする請求項７記載の植物栽培容器。
【考案の詳細な説明】
【技術分野】
【０００１】
本考案は、植物栽培容器に係り、特に水を加えることによって様々な動的視覚効果をもたらす植物栽培容器の斬新な構造形態の開示に関するものである。
【背景技術】
【０００２】
従来、植物栽培は、多くの人々の心が安らかに癒されて感性を養える楽しみの一つである。そのうち、大方に良く受け入れているものは、オフィスの机またはティーテーブルに置いた小型植栽である。最大の長所は、半陰性植物のため、手入れが便利で剪定の必要はない。よって、水分を定期的に提供すれば、通常はすくすく育てられる。さらに、植栽者に定期的の水の補給に注意を促す重要な役目を担う対策として、植栽者に容器の渇水状況をひと目で確認できるように、各々容器業者から次々と植栽容器に容器の水位高低変化位置に従って、水位を表示させる各種の水位表示構造を設けることが提案されている。
【０００３】
しかし、この類の公知の水位表示構造の設計は、水位の高低に注意を促すことのみに着目するので、構造面の設計に偏重していたため、使用者が植栽容器に水やりする際、その水位表示構造は、単に単調に水位が低から高へと変化することや無から有に変化することを表示するに過ぎず、浮き力構造による連続的な高度変化のさらなる運用についてまでは、何も考えていない。そのため、殆どの製品機能に大した違いはなく、同業者の製品で目立つことができないという問題点がある。
【考案の概要】
【考案が解決しようとする課題】
【０００４】
本考案は、植物栽培容器を提供することを主な目的とし、その解決しようとする技術的課題は、如何にしてより理想的で実用性のある、水やりするときには連続的な視覚的変化を提供できるオリジナルな植物栽培容器の構造形態を研究開発するかを目標として革新突破を図ることである。
【課題を解決するための手段】
【０００５】
本考案の課題を解決するための技術的特徴は、主にかかる植物栽培容器は、外部カップと、内部カップと、浮き板と、連動機構とを備える。前記外部カップの外表面は、顔の造形となるように形成されており、かつ少なくとも一つの覗き窓が形成されており、前記少なくとも一つの覗き窓が顔の造形に対して少なくとも一つの目の周りに相当する部分である。外部カップ内に組み付けられる内部カップは植物を植え付けるために用いられ、かつ内部カップと外部カップの底部とに収容空間が区画されている。前記収容空間内に取り付けられる浮き板は、前記収容空間内の水位の高低に従って、前記収容空間にて、選択的に前記外部カップに対して上下に往復移動可能に配置されており、かつ前記浮き板が上下に移動する過程において、前記外部カップに対して回動不能に構成される。連動機構は、前記浮き板上に装着され、かつ前記外部カップと内部カップの側壁との間に位置し、前記連動機構の最上部に確認板が設けられ、前記確認板上に少なくとも一つの視認エリアが設けられ、少なくとも一つの視認エリアと、前記少なくとも一つの覗き窓とが前後に対応して配置されている。前記少なくとも一つの視認エリアが前記顔の造形の少なくとも一つの覗き窓に対して目玉部である。使用者が外部カップに水を加えることによって、前記収容空間内の水位が次第に上昇するにつれて、前記浮き板によって、前記確認板が前記少なくとも一つの覗き窓に対して徐々に上昇するように徐々に押し上げられて、これにより、前記連動機構の確認板に設けられた少なくとも一つの視認エリアは、前記外部カップに水を加える前後に、前記外部カップの少なくとも一つの覗き窓に対する高低差を形成すると共に、その高低差によって、連続的な動的視覚効果を生じさせることができる。
【考案の効果】
【０００６】
本考案は、主に外部カップと、内部カップと、浮き板と、連動機構とからなる斬新な独特の構造形態と技術的特徴によれば、浮き板及び連動機構の、外部カップの外壁に形成されている顔の造形、少なくとも一つの貫通孔や確認板上に設けられた少なくとも一つの視認エリアに対する位置合わせ度合いを利用できる本考案は、植物栽培の楽しみが提供されるほか、水やりに動画のような連続的な視覚効果が得られ、精神的な不安感を宥める癒し効果の実用性と進歩性を有する。
【図面の簡単な説明】
【０００７】
【図１】本考案の立体外観図である。
【図２】本考案の立体分解図である。
【図３】本考案の内部カップを外部カップに組み付ける動作を示す図である。
【図４】本考案の断面視図である。
【図５】本考案の内部カップを取り外した後の上面図である。
【図５Ａ】図５の局所拡大図である。
【図６】本考案の確認板が最低位置に位置する状態を示す図である。
【図７】本考案において、外部カップに水を加える動作を示す図である。
【図８】本考案の浮き板が連動機構を連動して上昇する動作を示す図である。
【図９】本考案において、水を加えた後の浮き板と確認板とが最高位置に位置する状態を示す断面視図である。
【図１０】本考案の確認板が最高位置に位置する状態を示す図である。
【図１１】本考案の第２の好ましい実施例の前面図である。
【考案を実施するための形態】
【実施例１】
【０００８】
図１ないし図４に示す本考案の植物栽培容器の好ましい実施例を参照する。ただし、これらの実施例は説明のみに用いられるもので、実用新案登録請求の際、それらの構造に制限されないものとする。本考案の植物栽培容器は、外部カップ１０と、外部カップ１０内に組み付けられて植物を植え付ける（未図示）ための内部カップ２０と、内部カップ２０と外部カップ１０の底部とに区画されている収容空間３０内に取り付けられる浮き板４０と、浮き板４０上に装着される連動機構５０とを備え、連動機構５０は、外部カップ１０と内部カップ２０の側壁との間に位置する。
【０００９】
外部カップ１０の外表面は、顔の造形となるように形成されており、かつ少なくとも一つの覗き窓１１が形成されており、覗き窓１１が顔の造形に対して少なくとも一つの目の周りに相当する部分である。この好ましい実施例において、顔の造形はフクロウを模したものであり、覗き窓１１の数が２つで実施する。引き続き、図５と図５Ａを参照して、外部カップ１０の内壁上に少なくとも一つの突起リブ１２が延在しており、かつ外部カップ１０の底部に複数のＣ形構造体１３が延設され、複数のＣ形構造体１３の曲率が同一であり、かつそれぞれ外部カップ１０の軸線に対応して設けられている。複数のＣ形構造体１３によって収容空間３０の形状が環状に制限される。
【００１０】
内部カップ２０の底部には、下向きに挿着部２１が延設され、挿着部２１を複数のＣ形構造体１３内に収容する。
【００１１】
浮き板４０は、収容空間３０の水位の高低に従って、収容空間３０にて、選択的に外部カップ１０に対して上下に往復移動可能に配置されており、かつ浮き板４０が上下に移動する過程において、外部カップ１０に対して回動不能に構成される。この好ましい実施例において、浮き板４０は、収容空間３０の形態に対応して、環状構造に形成されており、複数のＣ形構造体１３を囲んで組み付けられる。浮き板４０上に少なくとも一つの切り欠き部４１が形成されており、図５と図５Ａに示すように、少なくとも一つの突起リブ１２を相対摺動自在に少なくとも一つの切り欠き部４１内に挿嵌することで、浮き板４０を外部カップ１０に対して回動不能にさせることができる。この他、浮き板４０の周縁部に位置合わせ穴４２が形成されている。
【００１２】
連動機構５０の最上部に確認板５１が設けられ、確認板５１上に少なくとも一つの視認エリア５２が設けられ、視認エリア５２と、少なくとも一つの覗き窓１１とが前後に対応して配置されている。少なくとも一つの視認エリア５２が顔の造形の少なくとも一つの覗き窓１１に対して目玉部である。この好ましい実施例において、視認エリア５２と、覗き窓１１との数がそれぞれ２つで実施し、かつ各視認エリア５２と、覗き窓１１とが前後に対応して配置されている。引き続き、図６ないし図１０を参照する。図示のように、使用者が外部カップ１０に水を加えることによって、収容空間３０内の水位が次第に上昇するにつれて、浮き板４０によって、確認板５１が外部カップ１０に対して徐々に上昇するように徐々に押し上げられて、これにより、連動機構５０の確認板５１上に設けられた各視認エリア５２は、外部カップ１０に水を加える前後に、外部カップ１０上の相対応する覗き窓１１に対する高度差Ｈを形成すると共に、その高度差Ｈによって、異なる視覚効果を生じさせることができる。本考案の好ましい実施例において、各視認エリア５２は貫通孔であり、使用者が覗き窓１１及びそれに対応する視認エリア５２を介して、内部カップ２０の外壁を直接に視認できる。
【００１３】
連動機構５０は、嵌め継ぎ部５３を含み、嵌め継ぎ部５３を位置合わせ穴４２に装着することによって、確認板５１上の少なくとも一つの視認エリア５２を外部カップ１０上の少なくとも一つの覗き窓１１に対応させるように位置合わせする。嵌め継ぎ部５３上に上向きに連接棒５４が延設され、かつ確認板５１が連接棒５４の自由端に連設されている。
【００１４】
上記の構造構成の設計に基づき、本考案を使用する作動態様について以下の通り説明する。図３、図４と図６に示すように、外部カップ１０に水がないときには、浮き板４０が外部カップ１０の底部に貼り付いたままである。このとき、顔の造形の少なくとも一つの覗き窓１１に対して目玉部である少なくとも一つの視認エリア５２は、目の周りとしての少なくとも一つの覗き窓１１に対して低点に位置する。よって、顔の造形全体から伝達される視覚効果は、目玉部が下に垂れていて、落ち込む様子が示される。引き続き、図７ないし図１０に示すように、使用者が外部カップ１０に水を少しずつ入れると、外部カップ１０の底部から水面が次第に上昇するに伴い、浮き板４０も水位の上昇につれて浮き上がると同時に、連動機構５０を上向きに押し付ける。一方、連動機構５０が外部カップ１０に対して上昇する過程において、このとき、顔の造形の少なくとも一つの覗き窓１１に対して目玉部である少なくとも一つの視認エリア５２は、目の周りとしての少なくとも一つの覗き窓１１に対して低点から相対高点までに徐々に上方に移動することになる。よって、顔の造形全体から伝達される視覚効果は、目玉部が次第に持ち上げられて段々と目覚めてくると、ゆっくりと目が開かれて、最終的に元気はつらつとした様子が示され、連続した動画のような視覚感覚が与えられる。また、外部カップ１０の水分が植物による吸収または蒸発によって、水位が次第に降下するとき、少なくとも一つの覗き窓１１に対して目玉部である少なくとも一つの視認エリア５２は、それに合わせて少なくとも一つの覗き窓１１に対してゆっくりと相対低点までに降下して、落ち込む様子が示される視覚効果に戻る。このように、顔の造形により提供される様々な視覚効果によって、使用者に植栽の植物に水やりをする必要があると注意を促すようにしも良い。さらに、水やりの過程において、使用者はさらに顔の造形（例えば、フクロウを模した顔の造形）が落ち込む様子から元気はつらつとした様子へと連続した変化を観察でき、植物栽培の楽しみが提供されるほか、水やりの過程において、精神的な不安感を宥める癒し効果も提供される。
【００１５】
上記構造において、少なくとも一つの視認エリア５２は少なくとも一つの貫通孔である場合、使用者が覗き窓１１及びそれに対応する視認エリア５２を介して、内部カップ２０の外壁を直接に視認することができる。よって、実際に実施するときには、目玉部の色調が内部カップ２０の外壁の色調となる。さらに、目玉部の吊り上げ機能をより浮き彫りにするため、内部カップ２０外壁の色調は確認板５１の色調に対してより濃く設定されても良い。
【００１６】
少なくとも一つの視認エリア５２は非貫通の形態である場合、直接に確認板５１との間に色差が生じても、目玉部と目の周りとの違いを識別可能な視覚効果を達成することができる。さらに、目玉部の吊り上げ機能をより浮き彫りにするため、視認エリア５２の色調は確認板５１の色調に対してより濃く設定されても良い。
【実施例２】
【００１７】
図１１に示す本考案のもう一つの好ましい実施例を参照する。この好ましい実施例において、その主な構造は、上記第１の好ましい実施例とほぼ同じであり、両者の異なる箇所は、外部カップ１０Ａ上に一つの覗き窓１１が形成されている上、上記第１の好ましい実施例における視認エリア５２もそれに合わせて一つだけ設けられることによって、この好ましい実施例が提供する顔の造形はアニメ版の一つ目のモンスターである点にある。
【産業上の利用可能性】
【００１８】
（効果の説明）
本考案は、主に外部カップと、内部カップと、浮き板と、連動機構とからなる斬新な独特の構造形態と技術的特徴によれば、浮き板及び連動機構の、外部カップの外壁に形成されている顔の造形、少なくとも一つの貫通孔や確認板上に設けられた少なくとも一つの視認エリアに対する位置合わせ度合いを利用できる本考案は、植物栽培の楽しみが提供されるほか、水やりに動画のような連続的な視覚効果が得られ、精神的な不安感を宥める癒し効果の実用性と進歩性を有する。
【符号の説明】
【００１９】
１０，１０Ａ        外部カップ
１１        覗き窓
１２        突起リブ
１３        Ｃ形構造体
２０        内部カップ
２１        挿着部
３０        収容空間
４０        浮き板
４１        切り欠き部
４２        位置合わせ穴
５０        連動機構
５１        確認板
５２        視認エリア
５３        嵌め継ぎ部
５４        連接棒
Ｈ          高度差
【図１】
0003214919.tif 000003
【図２】
0003214919.tif 000004
【図３】
0003214919.tif 000005
【図４】
0003214919.tif 000006
【図５】
0003214919.tif 000007
【図５Ａ】
0003214919.tif 000008
【図６】
0003214919.tif 000009
【図７】
0003214919.tif 000010
【図８】
0003214919.tif 000011
【図９】
0003214919.tif 000012
【図１０】
0003214919.tif 000013
【図１１】
0003214919.tif 000014